(57)【要約】【課題】ルアー本体で遊泳姿勢、遊泳水深の設定を釣り人本人が出来る構造であり、今までのルアーでは出来なかった潜行、浮上及び遊泳姿勢が出来るルアー及び潜行板を提供する。【解決手段】本発明では、広範囲の場所で使用が可能である。投入後に必要深度に達したと思われる頃に、リールを巻く等で引く力を与える事でルアー本体１の設定位置の動きで動作する。又、いったん沈んだルアー本体１でもルアー本体１の釣糸接続位置（複数の穴２）と翼状のウイング４の設定位置の条件によりリールを巻く事で上方に移動する、この状態を続ければ水面まで遊泳し誘導する事が出来る。本体とウイングの設定方法で多様な遊泳深度の調整が有る程度可能である。【選択図】図１
2011229511.tif 000002
【特許請求の範囲】
【請求項１】
魚釣りのルアーである、
前記ルアーの本体の長手方向に外部の前部から後部にかけて必要な個所に本体外部から本体内部に貫通する穴を空け本体内部でそれぞれの穴が結合する複数の貫通穴がある複数の中通し穴構造である、
前記ルアーの本体外部の複数の中通し穴と複数の中通し穴を連結したものや複数の中通し穴と複数の中通し穴の間を複数の中通し穴より小さな釣糸等を通すすき間穴の穴連絡溝でそれぞれの複数の中通し穴を連結してあるルアーである。
【請求項２】
魚釣りのルアーである、
前記ルアーの本体外部に前後移動及び脱着可能な取り付け位置設定の出来る翼状のウイングが有る、
前記ルアーの本体外部の翼状のウイングの形状は前記ルアー本体の特性や形状に合わせ翼状のウイングは種々な形状があり、
前記ルアーの本体外部の翼状のウイングの本体には目的に合わせ加重位置や加重量の調整オモリを付けた物も有る、
前記ルアー本体外部の両側面に前記翼状のウイングを挿入する溝がある、この溝の中に凹状の切れ込み溝がある、
前記翼状のウイングには、前記ルアー本体外部の翼状のウイングが入る溝の凹状の切れ込みに合う凸状の突起物があり凸状と凹状の物が噛み合い翼状のウイングを前後移動や脱着及び取り付け位置を指定が出来る構造であり、
翼状のウイングの物は前記ルアー本体外部の前部又は後部から挿入出来る物も有る、
別の取り付け方法は前記ルアーの本体外部の適宜必要個所に凹状の切れ込み溝がある、
この翼状のウイングは前記ルアーの本体外部を包み込む様な形状の翼状のウイングで必要な個所に凸状の突起物がある、前記ルアーの本体外部の適宜必要個所の凹状の切れ込み溝と凸状の突起物がかみ合い翼状のウイングの前後移動や脱着及び取り付け位置を指定が出来る物であり、
これらの翼状のウイングはルアー本体に対し数種の別の翼状のウイングを付け替える事が出来る。
【請求項３】
請求項１及び請求項２の両方又は、いずれかを使用した釣具である、
請求項１及び請求項２の両方で潜行板とする事も出来る、
前記ルアー本体後部に毛針等の軽量疑似餌を仮止めする為の磁石を取り付ける物もある、
前記ルアー本体後部にルアーの振動を増幅させる釣糸支持棒を取り付け、ルアー本体後部につながる釣糸に振動を与える釣糸支持棒として先端を輪形状にした棒を付ける物もある。
【発明の詳細な説明】
【技術分野】
【０００１】本発明は、釣りに用いられるルアー及び潜行板に関する。
【背景技術】
【０００２】  近年、ルアーを用いて魚を釣る方法が盛んに行われている。対象となる魚の種類も多く淡水域ではブラックバス、マス類他等又、海水域ではスズキ、ヒラメ等々多種なルアーで釣れる対象魚がいる。これらの魚を釣ろうとすると当然の事ながら使用するルアーも多種多様な物から対象魚の大きさ、生息水深等に合わせたルアーを選んで釣りをするものである。【０００３】  特に対象魚の生息水深が深い所で釣る為のルアーは棒状で重量のある金属製のルアーを使用する。この水深よりは浅い所に生息する対象魚には木製、プラスチック製等の魚型やエビ型のルアーを使用して対象となる魚を釣るものである。これらのルアーはリールを巻くか、川等の流れの様な中でそのルアーに設定されている動きをする、魚型ルアーなら魚が泳いでいるような動きで釣ろうとしている魚にそのルアーが餌だと思わせて魚が食べた所でルアーに付いている釣針で釣る方法である。【０００４】  これらのルアーのほとんどがルアー前後腹部等の釣糸や釣針を結ぶ金属製の輪があり、この輪をアイと言う、今後この輪をアイと記す。
腹部と後部のアイには釣針を付けている、先頭部のアイに釣糸を結びつけて使用する、このルアーの操作はリールを巻くスピードや竿の操作で現実には食べられないルアーを小魚として演出して釣る物である。
【先行技術文献】
【特許文献】
【０００５】
【特許文献１】特開２００５−３１８８２６号  特開２００７−１８５１１２号  特開２００８−１６７６９２号  特開２０１０−６８７１２号
【発明の開示】
【発明が解決しようとする課題】
【０００６】本発明の目的は、ルアー本体１に対し複数のアイが有る物と同様な機能として、ルアー本体１に釣糸の接続位置が移動出来る様にルアー本体１の釣糸の接続支点移動を可能とする。
ルアー本体１に水の抵抗を変化させる翼状のウイング４を備えたルアーの提供をする。
【課題を解決するための手段】
【０００７】  現在ある、ルアーのアイはこれらのルアーを活発な動きや変わった動きをさせる為アイが数カ所付いていれば釣糸を別のアイに結べば今までとは違う支点となり違う動きになる。【０００８】本発明のルアー本体１にアイを複数ある物と同効果として、ルアー本体１を長手方向にルアー本体１前部から後部にかけて貫通する複数の穴２を空ける、この貫通する複数の穴２はルアー本体１内部で連結し合う構造で釣糸を前部及び後部から挿入出来る中通し式である。
この複数の穴２の構造は、複数の穴２と複数の穴２が連結した物と複数の穴２と複数の穴２が離れている物があるが、離れている複数の穴２と複数の穴２を釣糸が自由に通れる連絡穴３が空いている図１。【０００９】この複数の穴２に釣糸を通し使うが、このままでは複数の穴２と複数の穴２の間を釣糸が自由に移動してしまう。
本発明ではこの複数の穴２を作り、弾性物質のパイプ７を挿入し複数の穴２の一カ所から移動しない様に固定する物であり、ルアー本体１が釣糸に摩擦こすれ等の力学的作用を弾性物質のパイプ７で保護する事も兼ねている図１。【００１０】この弾性物質のパイプ７はルアー本体１の前部及び後部にそれぞれ挿入して固定する方法と、ルアー本体１後部からルアー本体１内部を貫通する長さの弾性物質のパイプ７を挿入し釣糸をガイドにして弾性物質のパイプ７を目的の複数の穴２に抜き出して使う方法である。
釣り糸をルアー本体１に貫通させルアー本体１後部でヨリモドシや釣針を付けて固定する方法で、複数の穴２からなる中通し式である。
この貫通する複数の穴２のどの位置に釣糸を接続するかでルアー本体１に対する支点が変わり遊泳姿勢を変化させる。【００１１】ルアー本体１に活発な動きや変わった動き及び潜行、浮上をさせるため翼状のウイング４を取付ける事でルアー本体１が受ける水の抵抗が変わる。
この翼状のウイング４を取付け位置の移動が出来る構造にする事でルアー本体１が受ける水の抵抗が変化しルアーの遊泳姿勢や潜行及び浮上角度が変化する図１、２。【００１２】ルアー本体１に翼状のウイング４を取付ける方法としてルアー本体１を包込む様な形状で翼状のウイング４をルアー本体１の適宜の個所に凹状溝が複数ある、この溝を翼状のウイングを挿入する凹状溝５を備える図２  Ｂ。
この凹状溝に適度に噛合う凸状突起を必要個所備えた形状の翼状のウイング４及びウイングオモリ１２でルアー本体１を包込む様な形状である、
ルアー本体１の長手方向両側面に翼状のウイング４を挿入する為の溝がある、両者とも翼状のウイング４を脱着及び取付け位置移動出来互いに形成された凸凹状の構造物で保持する、翼状のウイング４の取付けはルアー本体１の前部後部の両方に脱着及び取付け位置移動が出来る図１、２。【００１３】又この翼状のウイング４に自重以外のオモリを負荷する形態としてウイングオモリ１２を付ける、このウイングオモリ１２のオモリ加重はウイングオモリ１２の適宜の位置及び適宜の量であり、ウイングオモリ１２の形状はルアー本体１に適合した凹状の構成物に対応した凸状物であり、ウイングオモリ１２本体の形状はルアー、潜行板の目的に合わせ必要な形状である図１、２。【００１４】本発明のルアー本体１の遊泳姿勢や潜行角度の変化について前記ルアー本体１を長手方向に貫通する複数の穴２を空けたものと翼状のウイング４を取付けて設定位置を変える事で両機構が受ける水の抵抗が複合的に変化する事で潜行角度、浮上角度の変化や活発な動きや変わった動きをさせる。
【発明の効果】
【００１５】このルアーは釣糸の接続支点位置を変える機構と、移動式の翼状ウイングの取付け位置で重心移動及び水の抵抗を変える物である。
両者の取付け位置変更は短時間で出来、簡便である。
【図面の簡単な説明】
【００１６】
【図１】図１はルアー及び潜行板を示した説明図である。
【図２】図２はルアー及び潜行板を示した説明図である。
【発明を実施するための最良の形態】
【００１７】  ルアー本体１への釣糸接続部をルアー本体１の前方部から中央部にかけて釣糸を接続出来る位置を指定出来る釣糸接続部を有する事。中通し式にすれば魚が先端部の疑似餌を食った時にルアーの抵抗を少なく出来る図１。
ルアー本体１前方から後方にかけて釣糸の取付け位置の指定が出来る釣糸接続部及び本体に対する荷重量及び過重位置指定の出来る荷重部を有する事図１、２。
及び翼状のウイング４を付ける事により水の抵抗を効率良く受ける事等を複合させる方法である。
翼状のウイング４を取付けなくても前者のみでの方法でも多少の効果がある。【００１８】ルアー本体１の形状はほぼ左右同じである。釣糸を接続させるための機構を複数の穴２を作成し、それぞれの穴を連絡するために複数の穴２より小さめな穴を空け各穴の間を釣糸が自由に移動出来る連絡穴３がある構造である。
釣糸等を接続する為の支点を多数設置し必要に応じて移動出来る構造にした。【００１９】ルアー本体１に設定位置の移動が可能な翼状のウイング４を取付けた、この翼状のウイング４の設定位置により水の抵抗及び翼状のウイング４の自重によりルアー本体１の遊泳状態に変化を与える構造である図１、２。【００２０】ルアー本体１にもオモリを付ける物と、翼状のウイング４にオモリを付ける物が有りこれをウイングオモリ１２と記す、このウイングオモリ１２は、翼状のウイング４に対しどの位置にオモリを付けるかでルアー本体に与える荷重バランスを変える事を目的としている図１、２。【００２１】翼状のウイング４の形状に付いては、使用目的やデザインにより多様な形状を持つ。例えばルアー本体１と翼状のウイング４で飛行機の様な形の物や、自動車の様な形、花の様な形等色々な形状の物がある図１、２。
基本的にルアーで有る事と、潜行遊泳する物体としている物も有る、当然通常のルアー形状もある。【００２２】ルアー本体に磁石１３を付ける図１、２。
小型の疑似餌や毛鉤をルアー本体１の磁石１３に付けて投げた時の糸がらみを防止する機構を備える。【００２３】ルアー本体１から棒状の釣糸支持棒１４を取付ける図１。
ルアー本体１後部に釣糸を取り付けその先端に毛鉤等疑似餌を付けた時にルアー本体１の振動を前記釣糸支持棒１４で増幅させ後部に付けた釣糸を振動させその先端に付いている毛鉤等疑似餌にその振動を伝える為の物である。
【実施例１】
【００２４】  ルアー本体１に対する荷重位置、荷重量、ルアー本体１に釣糸接続位置の変えられる機構を作り実施した、ルアー本体１の釣糸接続位置等で遊泳姿勢や遊泳状態が変化した。【００２５】釣糸支持棒１４の機構に関してルアー本体１後部に取付け実施した所、釣糸支持棒１４がない物とルアー本体１後部に取付けた釣糸とその先端の毛鉤の動きが変化した。
【実施例２】
【００２６】  ルアー本体１に取り付けた翼状のウイング４の位置や翼状のウイング４に取り付けたオモリ位置やオモリ量により翼状のウイング４の効果を実施したところ水の抵抗が変化し遊泳姿勢及び遊泳水深が変化した。
【産業上の利用可能性】
【００２７】ルアー本体や翼状のウイング等の構造は通常のルアーとほとんど同じで通常の製造方法で作成が可能である。
材質は木製、合成樹脂、金属等で構成され製造上も簡単な構造で、組立も簡単に出来る。
【符号の説明】
【００２８】１  本体
２  複数の穴
３  連絡穴
４  翼状のウイング
５  翼状のウイングを挿入する凹状溝
６  釣り糸等
７  弾性物質のパイプ
８  浮袋
９  本体オモリ
１０  釣り糸
１１  毛鉤の例
１２  ウイングオモリ
１３  磁石
１４  釣糸支持棒
１５  翼状のウイング凸状突起
１６  釣針取付け穴
【図１】
2011229511.tif 000003
【図２】
2011229511.tif 000004